(57)【要約】      （修正有）【課題】空調服本体の外部から内部に異物が侵入すること防止するための異物侵入防止部材を提供する。【解決手段】ネット部材５は、空調服１に取り付けられ、軸流ファンを可動させることで、空調服１の外部から空気取込口８を介して空気を取り込み、取り込んだ空気を、空気排出口を介して空調服１の内部に排出する風発生装置４に取り付けられるものであって、空気取込口８を外側から覆うことで、空調服１の外部から異物が侵入することを防止する構成をとる。【選択図】図１
0003220715.tif 000002
【実用新案登録請求の範囲】
【請求項１】
空調服に取り付けられ、ファンを可動させることで、前記空調服の外側から空気取込口を介して空気を取り込み、取り込んだ空気を、空気排出口を介して前記空調服の内側に排出する風発生手段に取り付けられる異物侵入防止部材であって、
前記空気取込口を外側から覆うことで、前記空調服の外側から異物が侵入することを防止する、
ことを特徴とする異物侵入防止部材。
【請求項２】
金属材料で構成されている、
ことを特徴とする請求項１に記載の異物侵入防止部材。
【請求項３】
前記空気取込口側から前記風発生手段の本体に取り付けられる円環状の固定部材に取り付けられる、
ことを特徴とする請求項２に記載の異物侵入防止部材。
【請求項４】
網目状のネット部材で構成される、
ことを特徴とする請求項１に記載の異物侵入防止部材。
【請求項５】
前記空気排出口側から前記風発生手段の本体に取り付けられる円環状の固定部材に取り付けられる、
ことを特徴とする請求項４に記載の異物侵入防止部材。
【考案の詳細な説明】
【技術分野】
【０００１】
本考案は、空調服に装着される風発生手段の内部に異物が侵入することを防止する空調服用風発生手段の異物侵入防止部材に関する。
【背景技術】
【０００２】
従来から、夏場の屋外や高温環境下で着用する空調服（冷却衣服）が開示されている（例えば、特許文献１から特許文献５）。これらの空調服は、空調服本体と、この空調服に取り付けられた風発生装置とを備えている。これらの空調服は、ファンを稼働させることで、空調服本体の外部から内部に空気を流入させ、襟元や裾口から外部に流出させることで、身体を効率的に冷却する。
【０００３】
空調服に取り付けられる風発生装置は、空調服の外部から空気を取り込むための空気取込口と、外部から取り込んだ空気を空調服の内部に送出するための空気送出口と、空調服の外部の空気を取込み、空調服の内部に空気を送出する軸流ファンを主として備えている。この際、空気取込口は、空調服本体の外部に露出されている。
【先行技術文献】
【特許文献】
【０００４】
【特許文献１】特許第５９５８９２３号公報
【特許文献２】特許第６０６１１６６号公報
【特許文献３】特許第６２２６２１４号公報
【特許文献４】特許第６２３３６７４号公報
【特許文献５】特開２０１８−１２０９７号公報
【考案の概要】
【考案が解決しようとする課題】
【０００５】
空調服は、工事現場や作業現場で使用されることが多く、これらの環境は、作業中に生じる細かい微粒子や異物（ごみ）が浮遊している場合が多い。
上述したように、風発生装置の空気取込口は、空調服本体の外部に露出されているため、この空気取込口から、空気中の微粒子や異物が取り込まれる。そうすると、細かい微粒子が空調服本体の内部に取り込まれ、下着や衣服が汚れる原因になる。また、異物がファン本体に取り込まれると、ファン（プロペラ）が破損するおそれも生じる。
【０００６】
そこで、本考案は、空調服本体の外部から内部に異物が侵入すること防止するための異物侵入防止部材を提供することを目的とする。
【課題を解決するための手段】
【０００７】
本考案に係る異物侵入防止部材は、空調服に取り付けられ、ファンを可動させることで、空調服の外側から空気取込口を介して空気を取り込み、取り込んだ空気を、空気排出口を介して空調服の内側に排出する風発生手段に取り付けられるものであって、空気取込口を外側から覆うことで、空調服の外側から異物が侵入することを防止することを特徴とする。
【０００８】
本考案に係る異物侵入防止部材は、金属材料で構成されていることを特徴とする。
【０００９】
本考案に係る異物侵入防止部材は、空気取込口側から風発生手段の本体に取り付けられる円環状の固定部材に取り付けられることを特徴とする。
【００１０】
本考案に係る異物侵入防止部材は、網目状のネット部材で構成されることを特徴とする。
【００１１】
本考案に係る異物侵入防止部材は、空気排出口側から風発生手段の本体に取り付けられる円環状の固定部材に取り付けられることを特徴とする。
【考案の効果】
【００１２】
本考案に係る異物侵入防止部材は、空気取込口全体を覆うため、空調服の外部から異物が侵入することを防止できる。そのため、風発生装置のファンが破損することを防止できる。さらに、空調服本体の内部に異物が侵入することも防止できるため、使用者が空調服の内側に着用している下着や衣服が汚れることを防止できる。
【図面の簡単な説明】
【００１３】
【図１】本考案の第一実施形態に係る異物侵入防止部材が取り付けられた風発生手段を備えた空調服の背面図である。
【図２】本考案の第一実施形態に係る異物侵入防止部材が取り付けられた風発生手段を示す図である。（ａ）側面図、（ｂ）空気取込口側（空調服の外部）から視た平面図
【図３】本考案の第一実施形態に係る異物侵入防止部材が取り付けられた風発生手段を空気排出口側（空調服の内部）から視た図である。
【図４】本考案の第一実施形態に係る異物侵入防止部材を風発生手段に取り付ける方法を説明するための図である。
【図５】本考案の第二実施形態に係る異物侵入防止部材を示す図である。（ａ）平面図、（ｂ）側面図
【図６】本考案の第二実施形態に係る異物侵入防止部材を取り付けるための固定部材を示す図である。（ａ）平面図、（ｂ）側面図
【図７】本考案の第二実施形態に係る異物侵入防止部材が取り付けられた風発生手段を示す図である。
【考案を実施するための形態】
【００１４】
［第一実施形態］
本実施形態に係る空調服用風発生手段の異物侵入防止部材（以下、異物侵入防止部材と記す。）を、図１から図４を参照し説明する。初めに、空調服について説明する。
【００１５】
空調服１（冷却衣服）は、図１に示すように、空調服本体２と、空調服本体２の腰部分に形成されたファン取付け孔３に取り付けられた風発生手段としての風発生装置４とを備えている。この風発生装置４には、異物侵入防止部材としてのネット部材５が取り付けられる。
ファン取付け孔３は、裾口幅を二等分する中心線Ｌを中心として、左右両側に一つずつ形成されている。
【００１６】
［風発生装置４］
風発生装置４は、外部の空気を取り込み、取り込んだ外気を空調服本体２の内部の身体に向けて排出する。風発生装置４は、図２（ａ）及び（ｂ）に示すように、ファン本体６とこのファン本体６に取り付けられる円環状の固定部材７を備えている。ファン本体６には、空気取込口８及び空気排出口９が形成されている。また、ファン本体６は、空調服１の外部の空気を取込み、空調服１の内部に空気を排出する軸流ファン１０と、軸流ファン１０を駆動させるモータ（図示しない）を備えている。ファン本体６の側部には、係止爪１１が形成されている（図２（ａ））。また、ファン本体６の底部の外周には、外側に向けてフランジ１２が形成されている。
ファン本体６は、固定部材７を使用して、ファン取付孔３に装着される。この固定部材７の内周面には、互いに対向する係止突起１３が形成されている。
【００１７】
［ネット部材５］
ネット部材５は、主として、ファン本体６に異物が侵入されて軸流ファン１０が破損することを防止することを目的として使用される。このネット部材５は、図４に示すように、網目状のものであり、その網目の開口面積は、空気取込口８の開口面積よりも小さく設計されている。このネット部材５は、円形状のものであり、その円周部には、ゴム部材１４が設けられている。このゴム部材１４の弾性力によって、ネット部材５の円周部の長さを適宜変更できる。このネット部材５には、例えば、ポリエステルを使用することができる。
【００１８】
ネット部材５を風発生装置４に取り付ける際、取付けリング部材１５を使用する。この取付けリング部材１５は、円環状部材１５Ｂと、この円環状部材１５Ｂの周囲に形成されたフランジ１５Ａとを備えている。円環状部材１５Ｂとフランジ１５Ａとの間には段差が形成されている。
【００１９】
次に、ネット部材５の取り付け方について説明する。
まず、フランジ１２に円環状部材１５の内面が当接されるように、風発生装置４に取付けリング部材１５を装着させる。次に、フランジ１５Ａを覆うようにネット部材５を取り付ける。そうすると、風発生装置４の空気取込口８側全体がネット部材５によって覆われる。そして、ネット部材５が取り付けられた風発生装置４をファン取付け孔３に挿入し、空調服本体２の内側から固定部材７をファン本体６に嵌め込むことで、風発生装置４を空調服本体２に装着させる。
【００２０】
次に、本実施形態に係るネット部材５の作用効果について説明する。
【００２１】
本実施形態に係るネット部材（異物侵入防止部材）５は、空気取込口８全体を覆うため、空調服１の外部から異物が侵入することを防止できる。
異物が侵入することを防止することで、軸流ファン１０が破損することや軸流ファン１０の不具合を防止できる。
したがって、風発生装置４にネット部材５を取り付けることで、風発生装置４を安定して使用できる。
【００２２】
さらに、風発生装置４にネット部材５を設けることで、空調服本体２の内部に異物が侵入することを防止できる。そのため、使用者が空調服１の内側に着用している下着や衣服が汚れることを防止でき、清潔感を保つことができる。
また、ネット部材５は、ポリエステルで構成されているため、汚れた場合、簡単に洗うことができ、何度でも使用することができる。
【００２３】
［第二実施形態］
本実施形態に係る異物侵入防止部材２０は、金属製である点で、第一実施形態に係る異物侵入防止部材としてのネット部材５（異物侵入防止部材）と大きく異なる。
本実施形態に係る異物侵入防止部材２０について、図５から図７を参照して説明する。なお、第一実施形態と同じ部材、同じ構成の説明は省略する。
【００２４】
異物侵入防止部材２０は、図５に示すように、円環状のリング２１と、このリング２１の外周全域に設けられた側壁２１Ａと、側壁２１Ａに設けられた金網２２とを備えている。
リング２１には、切欠き２３が３つ形成されており、これらの切欠き２３は、等間隔に形成されている。また、リング２１には、突起２４及び係合孔２５がそれぞれ３つ形成されており、これらの突起２４及び係合孔２５は等間隔に設けられている。金網２２の網目の開口面積は、空気取込口８の開口面積と比較し、小さく設計されている。
【００２５】
異物侵入防止部材２０は、固定部材３０を介して取り付けられる。
固定部材３０は、図６に示すように、凹部３２Ａを有する円環状の固定リング部材３２と、この固定リング部材３２の外周に形成されたフランジ部材３１とを備えている。この固定リング部材３２とフランジ部材３１との間には段差部が形成されている。
【００２６】
フランジ部材３１には３つの係合部３３が形成されている。この係合部３３には、突起部３４が１つ形成されている。これらの係合部３３は、等間隔に形成されている。
また、フランジ部材３１の外周には、起立部３５が３つ等間隔に形成されている。
【００２７】
次に、異物侵入防止部材２０の取り付け方について説明する。
まず、固定部材３０を空気排出口９側からファン本体６に取り付ける。次に、空気取込口８側から異物混入防止部材２０を固定部材３０に取り付ける。この際、起立部３５が側壁２１Ａの外側となるように係合部３３を切欠き２３に挿入し、突起部３４が係合孔２５に嵌る位置まで、異物混入防止部材２０を回転させる。そうすると、図７に示すように、風発生装置４の空気取込口８側（空調服１の外側）に異物混入防止部材２０が取り付けられる。
【００２８】
次に、本実施形態に係る異物侵入防止部材２０の作用効果について説明する。
【００２９】
本実施形態に係る異物侵入部材２０は、空気取込口８全体を覆うため、空調服１の外部から異物が侵入することを防止でき、軸流ファン１０が破損されることや軸流ファン１０の不具合を防止できる。
本実施形態に係る異物侵入部材２０は、金属製の部材で構成されているため、ポリエステル製などのネット部材よりも耐久性が高い。また、容易に洗浄することもできるため、長期間使用することができる。
【００３０】
以上、本実施形態について説明したが、これ以外にも、本考案の主旨を逸脱しない限り、上記実施の形態で挙げた構成を取捨選択したり、他の構成に適宜変更することが可能である。
【符号の説明】
【００３１】
１      空調服（冷却衣服）
２      空調服本体
３      ファン取付け孔
４      風発生装置（風発生手段）
５      ネット部材（異物侵入防止部材）
６      ファン本体
７      固定部材
８      空気取込口
９      空気排出口
１０    軸流ファン
１１    係止爪
１２    フランジ
１３    係止突起
１４    ゴム部材
１５    取付けリング部材
１５Ａ  フランジ
１５Ｂ  円環状部材
２０    異物侵入防止部材
２１    リング
２１Ａ  側壁
２２    金網
２３    切欠き
２４    突起
２５    係合孔
３０    固定部材
３１    フランジ部材
３２    固定リング部材
３２Ａ  凹部
３３    係合部
３４    突起部
３５    起立部
Ｌ      中心線
【図１】
0003220715.tif 000003
【図２】
0003220715.tif 000004
【図３】
0003220715.tif 000005
【図４】
0003220715.tif 000006
【図５】
0003220715.tif 000007
【図６】
0003220715.tif 000008
【図７】
0003220715.tif 000009